(57)【要約】【課題】  建設現場など、屋外作業者のヘルメット内部温度上昇の抑制と発汗による湿気の吸収・分解を行い、ヘルメット着用者頭部の快適環境を提供する。【解決手段】  織布もしくは不織布の表面に、輻射熱を反射するアルミニウム箔またはアルミニウムシートを接着して酸化保護皮膜を施してなる遮熱シートの裏側に、合成樹脂の溶剤と炭粉体とを含有する塗料組成物を塗布した複層遮熱シートを帽体に成型し、ヘルメットの内面、頭頂部の部位に設置することで、外熱を反射するとともに、塗料組成物が有する活性触媒炭効果により、ヘルメット着用者頭部の快適環境を提供するものである。【選択図】図２
2007119949.tif 000002
【特許請求の範囲】
【請求項１】
織布もしくは不織布の表面にアルミニウム箔またはアルミニウムシートを接着して酸化保護皮膜を施してなる遮熱シートの裏側に、合成樹脂の溶剤と炭粉体とを含有する塗料組成物を塗布してなる複層遮熱シート。
【請求項２】
高温側に遮熱シート側、低温側に塗料組成物側を配置して使用することを特徴とする請求項1項に記載する複層遮熱シート。
【請求項３】
ヘルメット内側の頭頂部との間に空隙を確保出来るように、前記複層遮熱シートをヘルメットの内面の曲率半径よりわずかに大きな曲率半径で帽体に成型したことを特徴とする請求項１、請求項２に記載の複層遮熱シートを具備したヘルメット。
【請求項４】
帽体に成型した前記複層遮熱シートをヘルメットの内側に接着または樹脂環を設け高周波融着して固定することを特徴とする請求項３に記載のヘルメット。
【請求項５】
ヘルメットに具備された、ハンモック・ヘッドバンドに系合する複数個の切欠きまたは複数個の穴を設けた帽体に成型された複層遮熱シートを、ハンモックとヘッドバンドを利用して取り付ける構造を特徴とする請求項１、請求項２の複層遮熱シートを具備したヘルメット。
【発明の詳細な説明】
【技術分野】
【０００１】
本発明は建築物や冷蔵・冷凍車などの輸送車両の遮熱材に使用され、遮熱・断熱効果ばかりでなく、湿気の吸収・分解を行い悪臭・不快臭を除去し、快適な環境を提供する複層遮熱シートとそれを具備したヘルメットに関するものである。
【背景技術】
【０００２】
太陽や宇宙から地球に向けて．各種の熱線が降り注いでいる。その熱線自体は全く熱を持たないが、大量の熱エネルギーを持ち、他の物質に衝突すると物質自体が熱を発生させる。日向に比べ、日陰や木陰の体感温度を涼しく感ずることで理解できる。このことは、熱線を反射し、物質から熱エネルギーを発生させないことが、快適な環境を提供することになる。
【０００３】
複層遮熱シートは建築物や冷蔵・冷凍車両の遮熱を目的にしたばかりでなく、高温・高湿に起因する悪臭・不快臭を除去、もしくは活性触媒炭効果で分解し、快適環境を確保する技術の開発にある。
【０００４】
特に、ヘルメットは頭部に着用されるため、熱線による高温化を避けるように、ヘルメット内部に帽体に成型された複層遮熱シートを設置し、発汗に伴う湿気・悪臭は合成樹脂の溶剤と炭粉体とを含有する塗料組成物を塗布し、活性触媒炭効果により、不快臭の除去および有害化学物質の分解を行い快適な環境を提供する技術に関するものである。
【特許文献１】特願２００３−２９５３９１
【発明の開示】
【発明が解決しようとする課題】
【０００５】
遮熱や断熱を目的した発明は数々の発明が公開されているが、グラスウールや発泡系の断熱材は、熱伝播遅効型吸収能力を有するのみで、短時間使用時には効果が期待出来るが長時間使用に至っては、その効果は全く期待出来ない。
【０００６】
熱反射型の遮熱シートも発明もされているが、この種の断熱材の使用方法は、多数個の気泡を有する断熱材に、アルミニウム箔を接着して形成されているため、長時間の使用には効果が期待出来ないばかりでなく、係る技術は吸湿性や消臭に、対応していない欠点がある。
【０００７】
以上に述べたように、発明されている断熱材や遮熱シートは長時間使用時の遮熱効果および悪臭・不快臭の除去に対する配慮が欠けている欠点がある。本発明は、叙述に鑑みてなされたものである。
【０００８】
具体的実施例のヘルメットにおいては、ヘルメットの頭頂部に穴をあけたり、送風管を設けて通風を良くし、涼風感や脱臭効果を得て、快適環境を確保する発明もされているが、安全ヘルメットなどは飛来落下物用途と定められているように、安全規格に抵触するような加工は許されない。
【０００９】
活性炭を袋に入れるとか、ヘルメット内側に消臭剤を塗布または含浸させた織布を設置する発明段階のヘルメットも存在するが、構造が複雑になるばかりでなく、重量が重くなり、ヘルメット着用者の負荷が大きくなるし、複雑な構造は、粗雑に取り扱われるヘルメットの実用性に問題である。
【００１０】
これらは、ヘルメット本来の持つ安全強度を低下させる、あるいは消臭剤の交換・乾燥または塗布のし直しをするなど、その効果を持続または継続するための保全・メンテナンスが必要になる。
【００１１】
ヘルメットの内部に断熱材を用いるなどの発明も公開されているが、グラスウールや発泡系の断熱材は、熱伝播遅効型吸収能力を有するのみで、長時間使用に至ってはその効果は全く期待出来ない。
【００１２】
従来技術は、長時間の使用時には効果が期待出来ないばかりでなく、係る技術は吸湿性や消臭に対応していない欠点がある。特に湿気は発汗を阻害し、従来技術ではヘルメット着用者に涼風感、冷却感を期待するのは無理である。
【課題を解決するための手段】
【００１３】
本発明は、織布もしくは不織布の表面にアルミニウム箔またはアルミニウムシートを接着して酸化保護皮膜を施してなる遮熱シートの裏側に、合成樹脂の溶剤と炭粉体とを含有する塗料組成物を塗布した複層遮熱シートを提供するもので遮熱効果があるばかりでなく、活性触媒炭効果を有している事を特徴としている。
【００１４】
複層遮熱シートはアルミニウム箔またはアルミニウムシートの剛性によって、微細な加工が可能であり、設置場所の形状に合わせて、自由な形状を創出できる特徴を有している。
【発明の効果】
【００１５】
建築物における屋根下葺材の固定方法を考慮すると発泡性の断熱材の厚さには物理的に限界がある。本発明の複層遮熱シートは薄く軽量であり、アルミニウム箔またはアルミニウムシートの剛性によって微細な加工が可能かつ自由な形状に加工できるので極めて施工性が良い特徴を有する。
【００１６】
ヘルメットの頭頂部に、帽体に成型した複層遮熱シートを設けることにより、ヘルメット内部は輻射熱による高温化を避けうるばかりでなく、発汗による悪臭の元となる湿気の吸収、分解を行い、ヘルメット着用者の頭部の悪臭や不快臭を除去し、軽量で快適な作業環境を有するヘルメットを提供可能とする。
【発明を実施するための最良の形態】
【００１７】
図１は本発明の複層遮熱シートの説明を容易にするための構成図である。
織布もしくは不織布１４の表面に輻射熱に対して反射効率の良いアルミニウム箔またはアルミニウムシート１２を接着層１３で調整し、アルミニウム箔またはアルミニウムシート１２の表面に酸化保護皮膜１１を施して、遮熱シート１６を完成させる。
その後、遮熱シート１６に、合成樹脂の溶剤と炭粉体とを含有する塗料組成物１５を塗布して、高吸湿放出作用、活性触媒炭効果を有する複層遮熱シート１７が完成する。
【００１８】
図２は、本発明の説明を容易にするため、ヘルメットが具備している各部の名称を図示したものである、
【００１９】
図２の符号は、ヘルメット２１、ヘルメット内部の各部を安定させるためのハンモック２２、ヘルメット着用者の頭部を安定に確保するためのヘッドバンド２３、発汗による汗の落下を防止するための水切り２４、ミミヒモ２５、アゴヒモ２６を示している。尚、全図を通じて同一符号は同一対象物を示します。
【００２０】
図３は、本発明の実施例の要部断面図を示すものである。
太陽や宇宙から地球に向けて各種の熱線が降り注いでいる。矢印Aは熱線３１を示し、ヘルメット２１に衝突して、熱エネルギーに変化する。
平行斜線で示すのが、本発明の帽体に成型された複層遮熱シート３２で、輻射熱を発生させない様に、複層遮熱シート１７を使用している。ヘルメット２１と帽体に成型された複層遮熱シート３２との間には空隙３３を確保することが大切である。その他は、ハンモック２２を示し、ヘッドバンド２３を示している。本発明の帽体に成型された複層遮熱シート３２に設けられた、切欠や複数個の穴を使って、それらを固定方法もあるが、系止具の詳細な図や符号は省略してある。
【００２１】
本発明は遮熱を目的にしたばかりでなく、高温、高湿に起因する悪臭、不快臭を除去もしくは活性触媒炭効果で有害化学物質を除去・分解し、快適な環境を提供する事にある。特にヘルメットは頭部に使用されるため、輻射熱によるヘルメット内部の高温化を避けるとともに、発汗による湿度は、悪臭を発生させ不快な環境になるので、高吸湿放出作用をする合成樹脂の溶剤と炭粉体とを含有する塗料組成物を塗布した、帽体に成型された複層遮熱シート３２を設け、消臭・吸湿・分解を行い快適な環境を提供するものである。
【００２２】
図３では、本発明の帽体に成型された複層遮熱シート３２の詳細を説明する。
図２、図３に示すように、帽体に成型された複層遮熱シート３２は、ヘルメット２１の内側に装着するものであって、ヘルメット２１に接着するか、帽体に成型された複層遮熱シート３２に樹脂環を設け、高周波融着などで固着する。
【００２３】
本発明の帽体に成型された複層遮熱シート３２は、ヘルメット内部に設置し、装着者の頭部を安定・快適にするためのハンモック２２、ヘッドバンド２３など、ヘルメット２１が具備している保持具を利用し適正位置に保持する方法もある。
【００２４】
複層遮熱シート１７の厚さは０．２ｍｍ〜０．５ｍｍと極めて薄く作られており、気泡製の断熱材料に比べ、軽量に調製できる特徴がある。また、アルミニウム箔またはアルミニウムシート１２の剛性によって、成型が極めて容易であり、広範な形状に成型できる特徴がある。本発明の帽体に成型された複層遮熱シート３２の形状は、ヘルメット２１の曲率半径よりわずかに大きな曲率半径を有する帽体に成型する。
【００２５】
帽体に成型された複層遮熱シート３２は、ヘルメット２１の内部に設けられている着脱自在なハンモック２２やヘッドバンド２３の寸法に係合する切り欠きや穴を複数個設けて系止具にて系止させ固定する方法もある。
【００２６】
この場合においても、帽体に成型された複層遮熱シート３２は、軽量かつ剛性に造られている為、持ち上げられた状態を保持され、ヘルメット２１を被る際も邪魔にならない位置、すなはち帽体に成型された複層遮熱シート３２は、ハンモック２２とヘッドバンド２３に系止されて、適正位置に保持される。
【００２７】
この固定方法によれば、ヘルメット２１の着脱において、帽体に成型された複層遮熱シート３２には全く負荷が掛かる事も無く、形状を保持しながら、その効果も充分に発揮できる等、実用的効果は極めて大である。
【００２８】
以上詳細に説明した様に、ヘルメットの頭頂部に、本発明の帽体に成型された複層遮熱シート３２を設けることにより、ヘルメット内部は輻射熱による高温化を避けうるばかりでなく、発汗による悪臭の元となる湿気の吸収、分解を行い、ヘルメット着用者の頭部の悪臭や不快臭を除去し、軽量で快適な環境を有するヘルメットを提供可能とするものである。
【実施例１】
【００２９】
表１、表２は、夏季の炎天下で実際に測定した温度を示し、本発明の有効性を確認した検証データの一例を示している。
【００３０】
【表１】
2007119949.tif 000003
【００３１】
【表２】
2007119949.tif 000004
【００３２】
表１に基づいて、ヘルメット部位の温度上昇について説明します。
夏季の外気温度３０℃〜３４℃の時、ヘルメット２１の外側の表面温度は４３℃〜５４℃を示し、内側の表面温度は４１℃〜５０℃に上昇する。本発明の帽体に成型された複層遮熱シート３２を具備したヘルメットの着用者頭部位置の温度は３０℃〜３４℃である。帽体に成型された複層遮熱シート３２を具備しない従来のヘルメットの着用者頭部位置の温度は３９℃〜４６℃であった。
【００３３】
表２に基づいて、測定開始１時間経過後の遷移温度上昇値について説明します。
測定開始１時間が経過したヘルメット着用者頭部位置の遷移温度上昇値は、本発明の帽体に成型された複層遮熱シート３２を具備したヘルメットの温度上昇値は１℃〜３℃と極めて小さい値を示し、帽体に成型された複層遮熱シート３２を具備しない従来のヘルメットは１０℃〜１３℃であった。
【００３４】
表1、表２に示す、検証データの一例でも確認されたように、本発明の帽体に成型された複層遮熱シート３２を具備した、ヘルメットの遮熱効果は極めて大であり、ヘルメット着用者に快適な環境を提供する。
【図面の簡単な説明】
【００３５】
【図１】本発明の複層遮熱シートの構成説明図を示す。
【図２】本発明の実施例を説明するためのヘルメットの構成斜視図である。
【図３】本発明の帽体に成型された複層遮熱シートの取り付け要部断面図である。
【符号の説明】
【００３６】
１６  遮熱シート
１７  複層遮熱シート
２１  ヘルメット本体
２２  ハンモック
２３  ヘッドバンド
３２  帽体に成型された複層遮熱シート
【図１】
2007119949.tif 000005
【図２】
2007119949.tif 000006
【図３】
2007119949.tif 000007